(57)【要約】【課題】  比較的小さい撮像素子を用いる一眼レフカメラにも対応可能で、コンパクトなリレー式ファインダー光学系とそれを用いた一眼レフカメラ。【解決手段】  対物光学系２により１次結像位置１２に形成された被写体像を２次結像位置１７に再結像させるリレー光学系と、その像を観察する接眼光学系２７〜２９とを備えたファインダー光学系であり、１次結像位置と２次結像位置の間に、第Ｆ３反射面１３ｂ、第Ｆ２反射面１３ｃ、第Ｆ１反射面１４、第Ｒ１反射面１５の少なくとも４つの反射面を有し、第Ｆ１反射面１４と第Ｒ１反射面１５の間に少なくとも１枚の正レンズが配置され、第Ｆ２反射面１３ｃから射出する光軸方向の横方向成分が、接眼光学系を射出する光軸方向とは反対方向であり、Ｒ１反射面１５から射出する光軸方向の横方向成分が、接眼光学系を射出する光軸方向とは反対方向であるファインダー光学系。【選択図】        図１
2006259475.tif 000002
【特許請求の範囲】
【請求項１】
対物光学系により１次結像位置に形成された１次結像としての被写体像を２次結像位置に再結像させるリレー光学系と、前記リレー光学系により再結像された像を観察する接眼光学系とを備えたファインダー光学系において、
前記１次結像位置と前記２次結像位置の間に、１次結像位置側からの光路順に、第Ｆ３反射面、第Ｆ２反射面、第Ｆ１反射面、第Ｒ１反射面の少なくとも４つの反射面を有し、
前記ファインダー光学系の光軸は前記各反射面にて反射され、
少なくとも前記第Ｆ１反射面と前記第Ｒ１反射面の間に少なくとも１枚の正レンズが配置され、
光軸上を進む光線の進行方向を光軸方向とし、前記接眼光学系を射出する光軸方向と平行な成分を横方向成分としたとき、
第Ｆ２反射面から射出する光軸方向の横方向成分が、前記接眼光学系を射出する光軸方向とは反対方向であり、
第Ｒ１反射面から射出する光軸方向の横方向成分が、前記接眼光学系を射出する光軸方向とは反対方向であることを特徴するファインダー光学系。
【請求項２】
対物光学系により１次結像位置に形成された１次結像としての被写体像を２次結像位置に再結像させるリレー光学系と、前記リレー光学系により再結像された像を観察する接眼光学系とを備えたファインダー光学系において、
前記１次結像位置と前記２次結像位置の間に、１次結像位置側からの光路順に、第Ｆ３反射面、第Ｆ２反射面、第Ｆ１反射面、第Ｒ１反射面の少なくとも４つの反射面を有し、
前記ファインダー光学系の光軸は前記各反射面にて反射され、
少なくとも前記第Ｆ１反射面と前記第Ｒ１反射面の間に少なくとも１枚の正レンズが配置され、
光軸上を進む光線の進行方向を光軸方向とし、前記接眼光学系を射出する光軸方向と平行な成分を横方向成分としたとき、
第Ｆ１反射面に入射する光軸方向の横方向成分が、前記接眼光学系を射出する光軸方向とは反対方向であり、
第Ｒ１反射面から射出する光軸方向の横方向成分が、前記接眼光学系を射出する光軸方向とは反対方向であることを特徴するファインダー光学系。
【請求項３】
対物光学系により１次結像位置に形成された１次結像としての被写体像を２次結像位置に再結像させるリレー光学系と、前記リレー光学系により再結像された像を観察する接眼光学系とを備えたファインダー光学系において、
前記１次結像位置と前記２次結像位置の間に、１次結像位置側からの光路順に、第Ｆ３反射面、第Ｆ２反射面、第Ｆ１反射面、第Ｒ１反射面の少なくとも４つの反射面を有し、
前記ファインダー光学系の光軸は前記各反射面にて反射され、
前記第Ｆ１反射面と前記第Ｒ１反射面の間に少なくとも１枚の正レンズが配置され、
前記第Ｆ１反射面で光軸が鋭角に反射し、かつ、前記第Ｒ１反射面で光軸が鋭角に反射し、
前記第Ｆ１反射面と前記第Ｒ１反射面とのなす角が鋭角であることを特徴するファインダー光学系。ただし、前記のなす角は、前記第Ｆ１反射面と前記第Ｒ１反射面の少なくとも何れかが曲面反射鏡である場合には、光軸が入射する位置における接平面同士のなす角とする。
【請求項４】
前記第Ｆ２反射面から射出する光軸方向と前記接眼光学系から射出する光軸方向のなす角αf が、以下の条件式（１）を満足することを特徴とする請求項１記載のファインダー光学系。ただし、前記２つの光軸方向において延長した光軸が交わらない場合は、延長した２つの光軸における最も接近する部分を結ぶ直線方向に射影したときのなす角とする。
９２°≦αf ≦１３５°                                        ・・・（１）
【請求項５】
以下の条件式（１’）を満足することを特徴とする請求項４記載のファインダー光学系。
９７°≦αf ≦１０５°                                      ・・・（１’）
【請求項６】
前記第Ｆ１反射面に入射する光軸方向と前記接眼光学系から射出する光軸方向のなす角αf ’が以下の条件式（２）を満足することを特徴とする請求項２記載のファインダー光学系。ただし、前記２つの光軸方向において延長した光軸が交わらない場合は、延長した２つの光軸における最も接近する部分を結ぶ直線方向に射影したときのなす角とする。
９２°≦αf ’≦１３５°                                      ・・・（２）
【請求項７】
以下の条件式（２’）を満足することを特徴とする請求項６記載のファインダー光学系。
９７°≦αf ’≦１０５°                                    ・・・（２’）
【請求項８】
前記第Ｆ１反射面での光軸の反射角θf が、以下の条件式（３）を満足することを特徴とする請求項３記載のファインダー光学系。
４５°＜θf ＜８８°                                          ・・・（３）
ただし、前記の反射角θf は、前記第Ｆ１反射面での入射光軸と反射光軸のなす角とする。
【請求項９】
以下の条件式（３’）を満足することを特徴とする請求項８記載のファインダー光学系。
７５°＜θf ＜８３°                                        ・・・（３’）
【請求項１０】
前記第Ｒ１反射面での光軸の反射角θr が、以下の条件式（４）を満足することを特徴とする請求項３、８又は９記載のファインダー光学系。
４５°＜θr ＜８８°                                          ・・・（４）
ただし、前記の反射角θr は、前記第Ｒ１反射面での入射光軸と反射光軸のなす角とする。
【請求項１１】
以下の条件式（４’）を満足することを特徴とする請求項１０記載のファインダー光学系。
７５°＜θr ＜８３°                                        ・・・（４’）
【請求項１２】
前記第Ｆ１反射面と前記第Ｒ１反射面のなす角θm が、下記条件（５）を満足することを特徴とする請求項３、８、９又は１０記載のファインダー光学系。
４５°＜θm ＜８８°                                          ・・・（５）
ただし、前記のなす角θm は、前記第Ｆ１反射面と前記第Ｒ１反射面の少なくとも何れかが曲面反射鏡である場合には、光軸が入射する位置における接平面同士のなす角とする。
【請求項１３】
以下の条件式（５’）を満足することを特徴とする請求項１２記載のファインダー光学系。
７５°＜θm ＜８３°                                        ・・・（５’）
【請求項１４】
前記第Ｒ１反射面からの射出直後の光軸と前記接眼光学系から射出する光軸とが鋭角であり、そのなす角αr が以下の条件式（６）を満足することを特徴とする請求項１又は２記載のファインダー光学系。ただし、前記２つの光軸において延長した光軸が交わらない場合は、延長した２つの光軸における最も接近する部分を結ぶ直線方向に射影したときのなす角とする。
４５°≦αr ≦８８°                                          ・・・（６）
【請求項１５】
以下の条件式（６’）を満足することを特徴とする請求項１４記載のファインダー光学系。
６０°≦αr ≦８０°                                        ・・・（６’）
【請求項１６】
前記第Ｆ１反射面に入射する光軸方向は、前記１次結像位置から離れる方向であり、前記第Ｒ１反射面から射出する光軸方向は、前記１次結像位置に近づける方向であることを特徴とする請求項１から１５の何れか１項記載のファインダー光学系。
【請求項１７】
前記第Ｆ１反射面と前記第Ｒ１反射面の間に、少なくとも１枚の正レンズと、前記正レンズの第Ｒ１反射面側に少なくとも１枚の負レンズと、前記負レンズの第Ｒ１反射面側に少なくとも１枚の正レンズが配されていることを特徴とする請求項１から１６の何れか１項記載のファインダー光学系。
【請求項１８】
前記第Ｆ３反射面への光軸入射位置に対する前記第Ｆ１反射面への光軸入射位置が、前記接眼光学系を射出する光軸方向から離れる方向であることを特徴とする請求項１から１７の何れか１項記載のファインダー光学系。
【請求項１９】
前記第Ｆ３反射面と前記第Ｆ１反射面の間に配される光学作用面は全て平面であることを特徴とする請求項１から１８の何れか１項記載のファインダー光学系。
【請求項２０】
前記第Ｒ１反射面と前記２次結像位置の間に第Ｒ２反射面が配され、前記２次結像位置から射出する光軸と前記接眼光学系に入射する光軸が同一の直線上にあることを特徴とする請求項１から１９の何れか１項記載のファインダー光学系。
【請求項２１】
前記第Ｒ１反射面と前記２次結像位置の間に第Ｒ２反射面が配され、前記第Ｒ１反射面と前記第Ｒ２反射面の間に少なくとも１枚の正レンズを配したことを特徴とする請求項１から２０の何れか１項記載のファインダー光学系。
【請求項２２】
前記１次結像位置と前記２次結像位置の間の反射面数が５面のみであることを特徴とする請求項１から２１の何れか１項記載のファインダー光学系。
【請求項２３】
対物光学系より入射した光束を、撮像素子に入射する光束と、光束を屈曲させ被写体像を観察するファインダー光学系に入射する光束とに分割する光束分割手段と、前記対物光学系からの光束を屈曲させ被写体像を観察するファインダー光学系と、前記撮像素子と光学的に等価な面の１次結像位置に配され、被写体像を形成する焦点板とを備え、前記ファインダー光学系が、請求項１から２２の何れか１項記載のファインダー光学系であることを特徴とする一眼レフカメラ。
【請求項２４】
対物光学系より入射した光束を、撮像素子に入射する光束と、光束を屈曲させ被写体像を観察するファインダー光学系に入射する光束とに分割する光束分割手段と、前記対物光学系からの光束を屈曲させ被写体像を観察するファインダー光学系とを備え、
前記ファインダー光学系は、
前記撮像素子と光学的に等価な面に設定された１次結像位置に配された焦点板と、
前記１次結像位置に形成された１次結像としての被写体像を２次結像位置に再結像させるリレー光学系と、
前記リレー光学系により再結像された像を観察する接眼光学系とを備え、
さらに、
前記ファインダー光学系は、前記１次結像位置側からの光路順に、第Ｆ１反射面、第Ｒ１反射面、第Ｒ２反射面を有し、
前記ファインダー光学系の光軸は前記各反射面にて反射され、
少なくとも、前記第Ｆ１反射面と前記第Ｒ１反射面の間に少なくとも１枚の正レンズが配置され、
前記光束分割手段で光軸が鋭角に反射し、前記第Ｆ１反射面で光軸が鋭角に反射し、かつ、前記第Ｒ１反射面で光軸が鋭角に反射し、
前記第Ｆ１反射面と前記第Ｒ１反射面のなす角が鋭角であり、ただし、前記第Ｆ１反射面と前記第Ｒ１反射面の少なくとも何れかが曲面反射鏡である場合には、光軸が入射する位置における接平面同士のなす角を前記第Ｆ１反射面と前記第Ｒ１反射面のなす角とし、
前記接眼光学系の光軸が前記対物光学系の光軸と略平行であることを特徴とする一眼レフカメラ。
【発明の詳細な説明】
【技術分野】
【０００１】
本発明は、ファインダー光学系及び一眼レフカメラに関し、特に、リレー式ファインダー光学系とそれを用いた一眼レフカメラに関するものである。
【背景技術】
【０００２】
従来のライカサイズより小さい撮像面を持った一眼レフカメラが提案され、商品化されている。特にＣＣＤやＣ−ＭＯＳ等の電子撮像素子を用いたもので、その市場の拡大がなされている。撮像面が小さくなったため、ファインダー系の倍率が大きいものが求められている。ファインダー倍率を大きくするには、ファインダー全系の焦点距離を短くすることが必要であるが、これは広く用いられいるペンタプリズム式でファインダー系を構成することを困難にさせる。別の手法として、特許文献１等でリレー式ファインダー光学系が知られているが、従来の提案はファインダー部分が大きくなるという課題があった。
【特許文献１】特開平４−３３７７０５号公報
【発明の開示】
【発明が解決しようとする課題】
【０００３】
本発明は従来技術のこのような問題点に鑑みてなされたものであり、その目的は、比較的小さい撮像素子を用いる一眼レフカメラにも対応可能で、コンパクトなリレー式ファインダー光学系とそれを用いた一眼レフカメラを提供することである。
【課題を解決するための手段】
【０００４】
本発明の第１のファインダー光学系は、対物光学系により１次結像位置に形成された１次結像としての被写体像を２次結像位置に再結像させるリレー光学系と、前記リレー光学系により再結像された像を観察する接眼光学系とを備えたファインダー光学系において、
前記１次結像位置と前記２次結像位置の間に、１次結像位置側からの光路順に、第Ｆ３反射面、第Ｆ２反射面、第Ｆ１反射面、第Ｒ１反射面の少なくとも４つの反射面を有し、
前記ファインダー光学系の光軸は前記各反射面にて反射され、
少なくとも前記第Ｆ１反射面と前記第Ｒ１反射面の間に少なくとも１枚の正レンズが配置され、
光軸上を進む光線の進行方向を光軸方向とし、前記接眼光学系を射出する光軸方向と平行な成分を横方向成分としたとき、
第Ｆ２反射面から射出する光軸方向の横方向成分が、前記接眼光学系を射出する光軸方向とは反対方向であり、
第Ｒ１反射面から射出する光軸方向の横方向成分が、前記接眼光学系を射出する光軸方向とは反対方向であることを特徴するものである。
【０００５】
本発明の第２のファインダー光学系は、対物光学系により１次結像位置に形成された１次結像としての被写体像を２次結像位置に再結像させるリレー光学系と、前記リレー光学系により再結像された像を観察する接眼光学系とを備えたファインダー光学系において、
前記１次結像位置と前記２次結像位置の間に、１次結像位置側からの光路順に、第Ｆ３反射面、第Ｆ２反射面、第Ｆ１反射面、第Ｒ１反射面の少なくとも４つの反射面を有し、
前記ファインダー光学系の光軸は前記各反射面にて反射され、
少なくとも前記第Ｆ１反射面と前記第Ｒ１反射面の間に少なくとも１枚の正レンズが配置され、
光軸上を進む光線の進行方向を光軸方向とし、前記接眼光学系を射出する光軸方向と平行な成分を横方向成分としたとき、
第Ｆ１反射面に入射する光軸方向の横方向成分が、前記接眼光学系を射出する光軸方向とは反対方向であり、
第Ｒ１反射面から射出する光軸方向の横方向成分が、前記接眼光学系を射出する光軸方向とは反対方向であることを特徴するものである。
【０００６】
本発明の第３のファインダー光学系は、対物光学系により１次結像位置に形成された１次結像としての被写体像を２次結像位置に再結像させるリレー光学系と、前記リレー光学系により再結像された像を観察する接眼光学系とを備えたファインダー光学系において、
前記１次結像位置と前記２次結像位置の間に、１次結像位置側からの光路順に、第Ｆ３反射面、第Ｆ２反射面、第Ｆ１反射面、第Ｒ１反射面の少なくとも４つの反射面を有し、
前記ファインダー光学系の光軸は前記各反射面にて反射され、
前記第Ｆ１反射面と前記第Ｒ１反射面の間に少なくとも１枚の正レンズが配置され、
前記第Ｆ１反射面で光軸が鋭角に反射し、かつ、前記第Ｒ１反射面で光軸が鋭角に反射し、
前記第Ｆ１反射面と前記第Ｒ１反射面とのなす角が鋭角であることを特徴するものである。ただし、前記のなす角は、前記第Ｆ１反射面と前記第Ｒ１反射面の少なくとも何れかが曲面反射鏡である場合には、光軸が入射する位置における接平面同士のなす角とする。
【０００７】
以下に、第１〜第３のファインダー光学系において、上記構成をとる理由と作用効果を説明する。
【０００８】
ファインダー光学系の高さ方向（対物光学系の光軸に対する高さ方向）をコンパクトにするためには、リレー光学系のレンズを対物光学系に対して垂直方向に並べないレイアウトに構成することが好ましい。また、対物光学系の光軸方向をコンパクトにするには、接眼光学系の光軸と同じ直線上にリレー光学系の主要部の光軸を持ってこないように構成することが好ましい。
【０００９】
一方、リレー光学系は、その機能を果たすため、１次結像位置とリレー光学系の主点位置、リレー光学系の主点位置と２次結像位置の間隔を相応に必要とする。
【００１０】
本発明の第１〜第３のファインダー光学系に記載の各構成要件を満足することにより、リレー光学系のレンズ素子の前後に第Ｆ１反射面、第Ｒ１反射面を持ち、これらの反射面の間隔を効率的に確保してレンズ素子を配置するスペースを確保しやすく構成できる。しかも、ファインダー光学系の高さ方向、対物光学系の光軸方向においてコンパクトなリレー式ファインダー光学系を実現することができる。
【００１１】
なお、リレー光学系の主点位置は第Ｆ１反射面と第Ｒ１反射面の間にあることが望ましい。
【００１２】
本発明の第４のファインダー光学系は、第１のファインダー光学系において、前記第Ｆ２反射面から射出する光軸方向と前記接眼光学系から射出する光軸方向のなす角αf が、以下の条件式（１）を満足することを特徴とするものである。ただし、前記２つの光軸方向において延長した光軸が交わらない場合は、延長した２つの光軸における最も接近する部分を結ぶ直線方向に射影したときのなす角とする。
【００１３】
９２°≦αf ≦１３５°                                        ・・・（１）
本発明の第５のファインダー光学系は、第４のファインダー光学系において、以下の条件式（１’）を満足することを特徴とするものである。
【００１４】
９７°≦αf ≦１０５°                                      ・・・（１’）
以下に、第４〜第５のファインダー光学系において、上記構成をとる理由と作用効果を説明する。
【００１５】
条件式（１）の下限の９２°を越えると、リレー光学系のスペースを効率良く確保することが難しくなる。条件式（１）の上限の１３５°を越えると、光束の折り曲げによる重複部が多くなり、ファインダー系全体が大きくなり、良好なレイアウトが難しくなる。
【００１６】
なお、下限値を９７°とすると、より好ましい。また、上限値を１０５°とすると、より好ましい。
【００１７】
本発明の第６のファインダー光学系は、第２のファインダー光学系において、前記第Ｆ１反射面に入射する光軸方向と前記接眼光学系から射出する光軸方向のなす角αf ’が以下の条件式（２）を満足することを特徴とするものである。ただし、前記２つの光軸方向において延長した光軸が交わらない場合は、延長した２つの光軸における最も接近する部分を結ぶ直線方向に射影したときのなす角とする。
【００１８】
９２°≦αf ’≦１３５°                                      ・・・（２）
本発明の第７のファインダー光学系は、第６のファインダー光学系において、以下の条件式（２’）を満足することを特徴とするものである。
【００１９】
９７°≦αf ’≦１０５°                                    ・・・（２’）
以下に、第６〜第７のファインダー光学系において、上記構成をとる理由と作用効果を説明する。
【００２０】
条件式（２）の下限の９２°を越えると、リレー光学系のスペースを効率良く確保することが難しくなる。条件式（２）の上限の１３５°を越えると、光束の折り曲げによる重複部が多くなり、ファインダー系全体が大きくなり、良好なレイアウトが難しくなる。
【００２１】
なお、下限値を９７°とすると、より好ましい。また、上限値を１０５°とすると、より好ましい。
【００２２】
本発明の第８のファインダー光学系は、第３のファインダー光学系において、前記第Ｆ１反射面での光軸の反射角θf が、以下の条件式（３）を満足することを特徴とするものである。
【００２３】
４５°＜θf ＜８８°                                          ・・・（３）
ただし、前記の反射角θf は、前記第Ｆ１反射面での入射光軸と反射光軸のなす角とする。
【００２４】
本発明の第９のファインダー光学系は、第８のファインダー光学系において、以下の条件式（３’）を満足することを特徴とするものである。
【００２５】
７５°＜θf ＜８３°                                        ・・・（３’）
以下に、第８〜第９のファインダー光学系において、上記構成をとる理由と作用効果を説明する。
【００２６】
条件式（３）の下限の４５°を越えると、リレー光学系のスペースを効率良く確保するのが難しくなる。条件式（３）の上限の８８°を越えると、光束の折り曲げによる重複部が多くなり、ファインダー系全体が大きくなり、良好なレイアウトが難しくなる。
【００２７】
なお、下限値を７５°とすると、より好ましい。また、上限値を８３°とすると、より好ましい。
【００２８】
本発明の第１０のファインダー光学系は、第３、第８〜第９のファインダー光学系において、前記第Ｒ１反射面での光軸の反射角θr が、以下の条件式（４）を満足することを特徴とするものである。
【００２９】
４５°＜θr ＜８８°                                          ・・・（４）
ただし、前記の反射角θr は、前記第Ｒ１反射面での入射光軸と反射光軸のなす角とする。
【００３０】
本発明の第１１のファインダー光学系は、第１０のファインダー光学系において、以下の条件式（４’）を満足することを特徴とするものである。
【００３１】
７５°＜θr ＜８３°                                        ・・・（４’）
以下に、第１０〜第１１のファインダー光学系において、上記構成をとる理由と作用効果を説明する。
【００３２】
条件式（４）の下限の４５°を越えると、リレー光学系のスペースを効率良く確保するのが難しくなる。条件式（４）の上限の８８°を越えると、光束の折り曲げによる重複部が多くなり、ファインダー系全体が大きくなり、良好なレイアウトが難しくなる。
【００３３】
なお、下限値を７５°とすると、より好ましい。また、上限値を８３°とすると、より好ましい。
【００３４】
本発明の第１２のファインダー光学系は、第３、第８〜第１０のファインダー光学系において、前記第Ｆ１反射面と前記第Ｒ１反射面のなす角θm が、下記条件（５）を満足することを特徴とするものである。
【００３５】
４５°＜θm ＜８８°                                          ・・・（５）
ただし、前記のなす角θm は、前記第Ｆ１反射面と前記第Ｒ１反射面の少なくとも何れかが曲面反射鏡である場合には、光軸が入射する位置における接平面同士のなす角とする。
【００３６】
本発明の第１３のファインダー光学系は、第１２のファインダー光学系において、以下の条件式（５’）を満足することを特徴とするものである。
【００３７】
７５°＜θm ＜８３°                                        ・・・（５’）
以下に、第１２〜第１３のファインダー光学系において、上記構成をとる理由と作用効果を説明する。
【００３８】
条件式（５）の下限の４５°を越えると、リレー光学系のスペースを効率良く確保するのが難しくなる。条件式（５）の上限の８８°を越えると、光束の折り曲げによる重複部が多くなり、ファインダー系全体が大きくなり、良好なレイアウトが難しくなる。
【００３９】
なお、下限値を７５°とすると、より好ましい。また、上限値を８３°とすると、より好ましい。
【００４０】
本発明の第１４のファインダー光学系は、第１〜第２のファインダー光学系において、前記第Ｒ１反射面からの射出直後の光軸と前記接眼光学系から射出する光軸とが鋭角であり、そのなす角αr が以下の条件式（６）を満足することを特徴とするものである。ただし、前記２つの光軸方向において延長した光軸が交わらない場合は、延長した２つの光軸における最も接近する部分を結ぶ直線方向に射影したときのなす角とする。
【００４１】
４５°≦αr ≦８８°                                          ・・・（６）
本発明の第１５のファインダー光学系は、第１４のファインダー光学系において、以下の条件式（６’）を満足することを特徴とするものである。
【００４２】
６０°≦αr ≦８０°                                        ・・・（６’）
以下に、第１４〜第１５のファインダー光学系において、上記構成をとる理由と作用効果を説明する。
【００４３】
条件式（６）の下限の４５°を越えると、光束の折り曲げによる重複部が多くなり、ファインダー系全体が大きくなり、良好なレイアウトが難しくなる。条件式（６）の上限の８８°を越えると、リレー光学系のスペースを効率良く確保するのが難しくなる。
【００４４】
なお、  下限値を６０°とすると、より好ましい。また、上限値を８０°とすると、より好ましい。
【００４５】
本発明の第１６のファインダー光学系は、第１〜第１５のファインダー光学系において、前記第Ｆ１反射面に入射する光軸方向は、前記１次結像位置から離れる方向であり、前記第Ｒ１反射面から射出する光軸方向は、前記１次結像位置に近づける方向であることを特徴とするものである。
【００４６】
以下に、第１６のファインダー光学系において、上記構成をとる理由と作用効果を説明する。
【００４７】
このような構成により、第Ｆ１反射面と第Ｒ１反射面の間隔を確保し、かつ、リレー光学系、接眼光学系を含めたファインダー光学系全体でコンパクトなレイアウトが可能となる。
【００４８】
特に、第Ｆ１反射面が１次結像位置よりも被写体側に配され、第Ｒ１反射面が１次結像位置よりも観察者側に位置することが、コンパクトなレイアウトとする上でより好ましい。
【００４９】
本発明の第１７のファインダー光学系は、第１〜第１６のファインダー光学系において、前記第Ｆ１反射面と前記第Ｒ１反射面の間に、少なくとも１枚の正レンズと、前記正レンズの第Ｒ１反射面側に少なくとも１枚の負レンズと、前記負レンズの第Ｒ１反射面側に少なくとも１枚の正レンズが配されていることを特徴とするものである。
【００５０】
以下に、第１７のファインダー光学系において、上記構成をとる理由と作用効果を説明する。
【００５１】
レンズとレンズの間に反射面を設けないで、比較的近くに少なくとも正レンズ、負レンズ、正レンズを配置することにより、コンパクトで性能の良いリレー光学系を構成することができる。
【００５２】
本発明の第１８のファインダー光学系は、第１〜第１７のファインダー光学系において、前記第Ｆ３反射面への光軸入射位置に対する前記第Ｆ１反射面への光軸入射位置が、前記接眼光学系を射出する光軸方向から離れる方向であることを特徴とするものである。
【００５３】
以下に、第１８のファインダー光学系において、上記構成をとる理由と作用効果を説明する。
【００５４】
このような構成により、リレー光学系を接眼光学系を射出する光軸と略平行な直線上にレイアウトできる空間を確保する効果を得られる。
【００５５】
本発明の第１９のファインダー光学系は、第１〜第１８のファインダー光学系において、前記第Ｆ３反射面と前記第Ｆ１反射面の間に配される光学作用面は全て平面であることを特徴とするものである。
【００５６】
以下に、第１９のファインダー光学系において、上記構成をとる理由と作用効果を説明する。
【００５７】
このような構成をとると、組み立て容易な構成にすることができる。
【００５８】
本発明の第２０のファインダー光学系は、第１〜第１９のファインダー光学系において、前記第Ｒ１反射面と前記２次結像位置の間に第Ｒ２反射面が配され、前記２次結像位置から射出する光軸と前記接眼光学系に入射する光軸が同一の直線上にあることを特徴とするものである。
【００５９】
以下に、第２０のファインダー光学系において、上記構成をとる理由と作用効果を説明する。
【００６０】
このような構成をとると、２次結像位置とリレー光学系の主点位置の間隔を確保し、２次結像位置と接眼光学系を近づけるレイアウトをとりやすい効果がある。これは、高いファインダー倍率で性能の良いリレー式ファインダー系を構成するのに有利となる。
【００６１】
本発明の第２１のファインダー光学系は、第１〜第２０のファインダー光学系において、前記第Ｒ１反射面と前記２次結像位置の間に第Ｒ２反射面が配され、前記第Ｒ１反射面と前記第Ｒ２反射面の間に少なくとも１枚の正レンズを配したことを特徴とするものである。
【００６２】
以下に、第２１のファインダー光学系において、上記構成をとる理由と作用効果を説明する。
【００６３】
第Ｆ１反射面と第Ｒ１反射面の間に配されるリレー光学系の主点と、２次結像面との双方から相応の間隔の位置にあり、リレー光学系の結像機能と２次結像から観察者の瞳への瞳伝達機能とを有するレンズを上述の位置に配することにより、コンパクトで見やすい高性能のファインダーを構成しやすくなる。
【００６４】
本発明の第２２のファインダー光学系は、第１〜第２１のファインダー光学系において、前記１次結像位置と前記２次結像位置の間の反射面数が５面のみであることを特徴とするものである。
【００６５】
以下に、第２２のファインダー光学系において、上記構成をとる理由と作用効果を説明する。
【００６６】
１次結像位置と２次結像位置との間の反射面が６面以上になると、反射面による光量ロスが大きくなる。５面の反射面を配置することにより、レイアウトの自由度を確保することができる。  
【００６７】
本発明の一眼レフカメラは、対物光学系より入射した光束を、撮像素子に入射する光束と、光束を屈曲させ被写体像を観察するファインダー光学系に入射する光束とに分割する光束分割手段と、前記対物光学系からの光束を屈曲させ被写体像を観察するファインダー光学系と、前記撮像素子と光学的に等価な面の１次結像位置に配され、被写体像を形成する焦点板とを備え、前記ファインダー光学系が、第１〜第２２のファインダー光学系であることを特徴とするものである。
【００６８】
以下に、本発明の一眼レフカメラにおいて、上記構成をとる理由と作用効果を説明する。
【００６９】
前述のファインダー構成を一眼レフカメラに搭載したものである。なお、光束分割手段は、ハーフミラー等による光量分割手段、又は、クイックリターンミラー等による時分割手段とすることができる。
【００７０】
本発明の別の一眼レフカメラは、対物光学系より入射した光束を、撮像素子に入射する光束と、光束を屈曲させ被写体像を観察するファインダー光学系に入射する光束とに分割する光束分割手段と、前記対物光学系からの光束を屈曲させ被写体像を観察するファインダー光学系とを備え、
前記ファインダー光学系は、
前記撮像素子と光学的に等価な面に設定された１次結像位置に配された焦点板と、
前記１次結像位置に形成された１次結像としての被写体像を２次結像位置に再結像させるリレー光学系と、
前記リレー光学系により再結像された像を観察する接眼光学系とを備え、
さらに、
前記ファインダー光学系は、前記１次結像位置側からの光路順に、第Ｆ１反射面、第Ｒ１反射面、第Ｒ２反射面を有し、
前記ファインダー光学系の光軸は前記各反射面にて反射され、
少なくとも、前記第Ｆ１反射面と前記第Ｒ１反射面の間に少なくとも１枚の正レンズが配置され、
前記光束分割手段で光軸が鋭角に反射し、前記第Ｆ１反射面で光軸が鋭角に反射し、かつ、前記第Ｒ１反射面で光軸が鋭角に反射し、
前記第Ｆ１反射面と前記第Ｒ１反射面のなす角が鋭角であり、ただし、前記第Ｆ１反射面と前記第Ｒ１反射面の少なくとも何れかが曲面反射鏡である場合には、光軸が入射する位置における接平面同士のなす角を前記第Ｆ１反射面と前記第Ｒ１反射面のなす角とし、
前記接眼光学系の光軸が前記対物光学系の光軸と略平行であることを特徴とするものである。
【００７１】
以下に、本発明の別の一眼レフカメラにおいて、上記構成をとる理由と作用効果を説明する。
【００７２】
このようなレイアウトをとることにより、少ない反射面でファインダー光学系の光路を折り返すことが可能になる。そのため、２次結像式のファインダーを持ちながらも、コンパクトな一眼レフカメラを構成することができる。そして、高いファインダー倍率を持つ一眼レフカメラを構成することができる。
【発明の効果】
【００７３】
以上の本発明によると、リレー光学系のレンズ素子の前後に反射面を配置して、ファインダー光学系の高さ方向、対物光学系の光軸方向においてコンパクトなリレー式ファインダー光学系を実現することができ、比較的小さい撮像素子を用いる一眼レフカメラにも対応可能であり、コンパクトなリレー式ファインダー光学系とそれを用いた一眼レフカメラを提供することができる。
【発明を実施するための最良の形態】
【００７４】
以下に、本発明のファインダー光学系及び一眼レフカメラを実施例に基づいて説明する。
【００７５】
図１は、本発明の１実施例のファインダー光学系を搭載した一眼レフカメラの構成を示す断面図である。図中、符号１は、この本発明の１実施例のファインダー光学系を搭載した一眼レフカメラである。符号２は、交換式の撮影レンズである。なお、撮影レンズ２はカメラボディと一体で構成されたものでもよい。
【００７６】
以下に、被写体から発して撮影レンズ２から射出された光束の進む順に従って説明する。
【００７７】
撮影レンズ２から射出された光束は、クイックリターンミラー１１で反射される。この例では、反射角９０°で反射させている。なお、クイックリターンミラー１１をハーフミラーとして透過した光束を焦点検出手段（不図示）に導くようにしてもよい。
【００７８】
以降、撮影レンズ２から射出された光軸がクイックリターンミラー１１で反射する位置を基準に、撮影レンズ２から射出された光軸に垂直で、クイックリターンミラー１１で光軸が反射された方向を上、撮影レンズ２の光軸と平行で撮影レンズ２の配される方向を被写体方向、撮影レンズ２の配される方向とは逆側を観察者方向と称する。  
【００７９】
クイックリターンミラー１１を反射した光束は、後で説明する撮像素子１０３と光学的に等価（共役）の位置（１次結像位置）に配置された焦点板１２に入射する。後述する図２で、被写体像が撮像素子１０３上に結像する場合、焦点板１２上にも結像する構成になっている。この焦点板１２はコンデンサーレンズの機能を有してもよい。
【００８０】
焦点板１２を射出した光束はプリズム１３に入射する。プリズム１３は、入射面１３ａ、反射面１３ｂ、反射面１３ｃ、射出面１３ｄを有している。入射面１３ａは、入射光軸に対して垂直であることが望ましい。入射面１３ａに入射した光束は、反射面１３ｂで被写体方向に反射する。このとき、全反射条件を満足することにより光量のロスが小さくなる。なお、反射面１３ｂは、前述の第Ｆ３反射面に該当する。さらに、光束は、光軸が反射面１３ｃで被写体方向と上方向の成分を持つ（すなわち、このときの光軸方向は被写体方向と上方向の間にある）ように、上方向側に反射させる。このとき、全反射条件を満足することにより光量のロスが小さくなる。なお、反射面１３ｃは前述の第Ｆ２反射面に該当する。さらに、光束は、射出面１３ｄでプリズム１３を射出する。このとき、射出面１３ｄは光軸に垂直であることが望ましい。
【００８１】
プリズム１３を射出した光束は、さらにミラー１４で観察者方向に反射され、光軸は撮影レンズ２の光軸におよそ平行となる。ミラー１４は、前述の第Ｆ１反射面に該当する。
【００８２】
次に、リレー光学系を形成している、レンズ２１、レンズ２２、レンズ２３、レンズ２４を透過し、レンズ作用を受ける。図１の実施例１においては、レンズ２１が被写体側に強い凸面を向けた正メニスカスレンズ、レンズ２２が被写体側に強い凸面を向けた正メニスカスレンズ、レンズ２３が両凹負レンズ、レンズ２４が合成のパワーが正の被写体側に凸面を向けた負メニスカスレンズと両凸正レンズの接合レンズである。
【００８３】
ここに配置されるレンズ群の合成パワーは正になるように構成され、リレー光学系の主要部を担うことが求められており、具体的なレンズ構成は、収差等を考慮しながら設計されればよい。
【００８４】
好ましくは、少なくとも１枚の正レンズ（図１の実施例１においては、レンズ２１又はレンズ２２が該当）と、その正レンズの第Ｒ１反射面側に少なくとも１枚の負レンズ（図１の実施例１においては、レンズ２３が該当）と、その負レンズの第Ｒ１反射面側に少なくとも１枚の正レンズ（図１の実施例１においては、レンズ２４の正レンズが該当）を配置することにより、主点をこの領域に設定することができ、倍率と光学性能を確保しやすい。なお、その負レンズ付近に明るさ絞り３１を配置し、効率の良い瞳伝達を行っている。
【００８５】
次に、光束はミラー１５で反射し、光軸は被写体方向かつ下方向側に屈曲する。ミラー１５は、前述の第Ｒ１反射面に該当する。
【００８６】
さらに、ミラー１６で光軸は観察者方向に反射されるが、ミラー１５とミラー１６の間に正レンズ２５を配置することにより、リレー光学系の結像性能の向上と瞳伝達性能の向上を図っている。
【００８７】
ミラー１６で反射した光束は、２次結像位置１７近傍に配置されたコンデンサーレンズ２６に入射する。図１の実施例１では、コンデンサーレンズ２６は被写体側に凸面を持った凸平正レンズで、平面側と２次結像位置１７を実質的に一致させている。
【００８８】
さらに、光束は防塵ガラス３２を透過する。防塵ガラス３２は他の枠等と合わせて２次結像位置１７近傍のレンズ面にごみ等が付着するのを防止する。
【００８９】
さらに、光束は、接眼光学系を構成するレンズ２７、レンズ２８、レンズ２９でレンズ作用を受け、カメラボディから射出する。そして、光束は観察者の眼に導かれる。
【００９０】
図２は、図１の一眼レフカメラの撮影時の状況を示す図である。ただし、カメラボディを示す枠線は省いてある。
【００９１】
撮影時には、クイックリターンミラー１１は光路から退避し、撮影レンズ２を射出した光束は、フィルター１０１、フィルター１０２を順に透過し、撮像素子１０３へ入射する。ファイルター１０１、フィルター１０２は、赤外カットフィルター、ローパスフィルター、防塵フィルター等の機能を有し、特に２つとは限らない。撮像素子１０３は、ＣＣＤやＣ−ＭＯＳ等の電子撮像素子や、銀塩フィルムで構成される。
【００９２】
図３は、図１をさらに模式的に表した図であり、前述の角度αf 、θf 、θm 、θr 、αr を図示したものである。
【００９３】
図４は、図１乃至図３のクイックリターンミラーに換えて、ハーフミラー面４１ａを有するプリズム群４１で置き換えた場合を模式的に表した図である。他の構成は、図１乃至図３と同様であるので、詳細な図示は省いてある（特に、レンズ系）。この構成では、ファインダーで被写体の確認と同時に撮影も可能となる。
【００９４】
図５に示した一眼レフカメラ１は、図１の構成におけるプリズム１３に換えて、２面の平面ミラー１３ｂ’、１３ｃ’で構成した変形例を示す図である。
【００９５】
２面の平面ミラー１３ｂ’、１３ｃ’の中、１次結像面（焦点板１２）側の反射面１３ｂ’が第Ｆ３反射面に相当し、他方の反射面１３ｃ’が第Ｆ２反射面に相当する。２つの平面ミラー１３ｂ’、１３ｃ’での反射角は、図１における反射面１３ｂ、１３ａと同様の方向に構成してある。他の構成は、図１乃至図３と同様であるので、詳細な説明は省く。
【００９６】
図６は、図１の一眼レフカメラの構成からプリズム１３を省略し、その上で、観察時におけるクイックリターンミラー６１の光軸に対する角度を鋭角としたものである。
【００９７】
クイックリターンミラー６１で反射した光束は、１次結像面位置に配される焦点板６２に入射する。焦点板６２を通過した光束は、光軸に沿ってミラー６３（第Ｆ１反射面に相当）に入射する。
【００９８】
ミラー６３での入射光軸はミラー６３にて鋭角反射し、撮影レンズ２の光軸と平行に近くなるように、観察者方向かつ上方向へ反射される。そして、図１にて示したリレー光学系を形成しているレンズ２１、レンズ２２、レンズ２３、レンズ２４を透過し、レンズ作用を受ける。
【００９９】
そして、ミラー６４（第Ｒ１反射面）での入射光軸はミラー６３にて鋭角反射し、被写体方向かつ下方向へ反射される。
【０１００】
ミラー６３とミラー６４との面のなす角が鋭角となるように構成されている。
【０１０１】
さらに、ミラー６５で光軸は観察者方向に反射されるが、ミラー６４とミラー６５の間に正レンズ２５を配置することにより、リレー光学系の結像性能の向上と瞳伝達性能の向上を図っている。
【０１０２】
ミラー６５で反射した光束は、２次結像位置１７近傍に配置されたコンデンサーレンズ２６に入射する。図６では、コンデンサーレンズ２６は被写体側に凸面を持った凸平正レンズで平面側と２次結像位置１７を実質的に一致させている。
【０１０３】
さらに、光束は防塵ガラス３２を透過する。防塵ガラス３２は他の枠等と合わせて２次結像位置１７近傍のレンズ面にごみ等が付着するのを防止する。
【０１０４】
さらに、光束は、接眼光学系を構成するレンズ２７、レンズ２８、レンズ２９でレンズ作用を受け、カメラボディから射出する。そして、光束は観察者の眼に導かれる。
【０１０５】
このような構成により、図１のプリズム１３を用いなくても、ミラー６３（前述の第Ｆ１反射面に該当）へ入射する光軸を被写体方向に傾かせることができる。
【０１０６】
図７は、図６をさらに模式的に表した図であり、ミラー６３とミラー６４の間と、ミラー６５と観察者の間に正のパワーを持つレンズ群７１と７２があればよいことを示している。なお、２次結像位置はミラー６５とレンズ群７２の間にあることが望ましい。
【０１０７】
以下に、図１において想定したレンズ系の数値実施例１〜２を示す。なお、図１におけるレンズ面形状は、数値実施例１における形状である。
【０１０８】
図８に数値実施例１のファインダー光学系を展開して光軸に沿ってとった断面図を示す。その数値データは後記する。
【０１０９】
図８中には、図１における各光学部材も符号で示してあるが、説明すると、面ｒ1 は焦点板１２上における１次結像位置に対応する。そして、面ｒ2 〜ｒ5 がプリズム１３に対応し、その中、面ｒ2 が入射面１３ａ、面ｒ3 が反射面１３ｂ、面ｒ4 が反射面１３ｃ、面ｒ5 が射出面１３ｄに対応する。
【０１１０】
そして、面ｒ6 がミラー１４に対応し、面ｒ7 〜ｒ8 がレンズ２１、面ｒ9 〜ｒ10がレンズ２２、面ｒ11が明るさ絞り３１、面ｒ12〜ｒ13がレンズ２３、面ｒ14〜ｒ16がレンズ２４に対応する。
【０１１１】
また、面ｒ17がミラー１５に対応し、面ｒ18〜ｒ19が正レンズ２５に対応し、面ｒ20がミラー１６に対応し、面ｒ21〜ｒ22がコンデンサーレンズ２６に対応し、面ｒ22と一致している面ｒ23が２次結像位置１７に対応する。
【０１１２】
また、面ｒ24〜ｒ25が防塵ガラス３２に対応し、面ｒ26〜ｒ28が接眼光学系を構成するレンズ２７、面ｒ29〜ｒ30がレンズ２８、面ｒ31〜ｒ32がレンズ２９に対応し、面ｒ33が観察者の瞳、すなわち、アイポイントＥＰに対応する。
【０１１３】
この実施例においては、リレー光学系を構成している、レンズ２１は１次結像位置側に凸面を向けた正メニスカスレンズ、レンズ２２は１次結像位置側に凸面を向けた正メニスカスレンズ、レンズ２３は両凹負レンズ、レンズ２４は１次結像位置側に凸面を向けた負メニスカスレンズと両凸正レンズの接合レンズ、正レンズ２５は１次結像位置側に凸面を向けた正メニスカスレンズからなり、また、コンデンサーレンズ２６は凸平正レンズからなっている。また、接眼光学系を構成するレンズ２７は両凹負レンズと両凸正レンズの接合レンズ、レンズ２８は両凸正レンズ、レンズ２９は凸平正レンズからなっている。
【０１１４】
そして、レンズ２１の１次結像位置側の面ｒ7 、正レンズ２５の両面ｒ18、ｒ19、コンデンサーレンズ２６の１次結像位置側の面ｒ21には非球面が用いられている。
【０１１５】
なお、後記する数値データ中には、視度調節する面間隔ｄ25、ｄ30と視度（ｄｉｏｐｔｅｒ）の関係を示してあり、さらに、反射面１３ｂ、反射面１３ｃ、ミラー１４、１５、１６における光軸の反射角度を示してある。
【０１１６】
図９に数値実施例２のファインダー光学系を展開して光軸に沿ってとった断面図を示す。その数値データは後記する。図９中には、図１の構成における対応光学部材も符号で示してある。基本的には、図８の数値実施例１と同様であり、リレー光学系を構成している、レンズ２１は１次結像位置側に凸面を向けた正メニスカスレンズ、レンズ２２は１次結像位置側に凸面を向けた正メニスカスレンズ、レンズ２３は両凹負レンズ、レンズ２４は１次結像位置側に凸面を向けた負メニスカスレンズと両凸正レンズの接合レンズ、正レンズ２５は両凸正レンズからなり、また、コンデンサーレンズ２６は凸平正レンズからなっている。また、接眼光学系を構成するレンズ２７は両凹負レンズと両凸正レンズの接合レンズ、レンズ２８は両凸正レンズ、レンズ２９は両凸正レンズからなっている。
【０１１７】
また、この実施例においては、非球面は、正レンズ２５の両面ｒ18、ｒ19、コンデンサーレンズ２６の１次結像位置側の面ｒ21に用いられている。
【０１１８】
後記する数値データ中には、数値実施例１と同様に、視度調節する面間隔ｄ25、ｄ30と視度（ｄｉｏｐｔｅｒ）の関係を示してあり、さらに、反射面１３ｂ、反射面１３ｃ、ミラー１４、１５、１６における光軸の反射角度を示してある。
【０１１９】
以下の数値実施例において、記号は上記の他、ｒ1 、ｒ2 …は各レンズ面（光学面）の曲率半径、ｄ1 、ｄ2 …は各レンズ面（光学面）間の間隔、ｎd1、ｎd2…は各レンズ（光学媒質）のｄ線の屈折率、νd1、νd2…は各レンズ（光学媒質）のアッベ数である。なお、非球面形状は、ｘを光の進行方向を正とした光軸とし、ｙを光軸と直交する方向にとると、下記の式にて表される。
【０１２０】
ｘ＝（ｙ2 ／ｒ）／［１＋｛１−（Ｋ＋１）（ｙ／ｒ）2 ｝1/2 ］
＋Ａ4 ｙ4 ＋Ａ6 ｙ6 
ただし、ｒは近軸曲率半径、Ｋは円錐係数、Ａ4 、Ａ6 はそれぞれ４次、６次の非球面係数である。
【０１２１】
数値実施例１（−１ｄｉｏｐｔｅｒ）
ｒ1 =     ∞（１次結像面）  ｄ1 =  7.00     
ｒ2 =     ∞                ｄ2 = 10.00     ｎd1 =1.51633 νd1 =64.14 
ｒ3 =     ∞（Ｆ３）        ｄ3 = 22.80     ｎd2 =1.51633 νd2 =64.14 
ｒ4 =     ∞（Ｆ２）        ｄ4 = 10.80     ｎd3 =1.51633 νd3 =64.14 
ｒ5 =     ∞                ｄ5 =  8.92     
ｒ6 =     ∞（Ｆ１）        ｄ6 =  7.88     
ｒ7 =    14.94（非球面）    ｄ7 =  4.72     ｎd4 =1.69350 νd4 =53.21 
ｒ8 =   200.43              ｄ8 =  0.44     
ｒ9 =    14.06              ｄ9 =  4.81     ｎd5 =1.80400 νd5 =46.57 
ｒ10=    25.38              ｄ10=  2.09     
ｒ11=     ∞（絞り）        ｄ11=  0.75     
ｒ12=   -14.50              ｄ12=  1.10     ｎd6 =1.84666 νd6 =23.78 
ｒ13=    10.42              ｄ13=  8.92     
ｒ14=   300.05              ｄ14=  1.60     ｎd7 =1.71736 νd7 =29.52 
ｒ15=    26.50              ｄ15=  5.46     ｎd8 =1.80400 νd8 =46.57 
ｒ16=   -22.88              ｄ16= 10.71     
ｒ17=     ∞（Ｒ１）        ｄ17= 11.22     
ｒ18=    30.04（非球面）    ｄ18=  5.55     ｎd9 =1.52542 νd9 =55.78 
ｒ19=   276.45（非球面）    ｄ19= 10.67     
ｒ20=     ∞（Ｒ２）        ｄ20= 11.00     
ｒ21=    56.07（非球面）    ｄ21=  3.05     ｎd10=1.52542 νd10=55.78 
ｒ22=     ∞                ｄ22=  0.00     
ｒ23=     ∞（２次結像面）  ｄ23=  4.14     
ｒ24=     ∞                ｄ24=  1.00     ｎd11=1.51633 νd11=64.14 
ｒ25=     ∞                ｄ25=  7.68     
ｒ26=   -14.71              ｄ26=  1.37     ｎd12=1.84666 νd12=23.78 
ｒ27=    66.77              ｄ27=  6.56     ｎd13=1.60311 νd13=60.64 
ｒ28=   -20.00              ｄ28=  0.50     
ｒ29=   244.69              ｄ29=  3.62     ｎd14=1.78590 νd14=44.20 
ｒ30=   -39.79              ｄ30=  3.36     
ｒ31=    37.55              ｄ31=  3.30     ｎd15=1.83400 νd15=37.16 
ｒ32=     ∞                ｄ32= 23.00     
ｒ33=     ∞（観察者の瞳）  
非球面係数
第７面
Ｋ  =  0.1155 
Ａ4 =  6.48 ×10-6
第１８面
Ｋ  = -0.8404 
Ａ4 =  1.39 ×10-5
第１９面
Ｋ  = 84.0521 
Ａ4 =  1.29 ×10-5
第２１面
Ｋ  = -0.6627 
Ａ4 =  3.05 ×10-5
視度調整量  -1diopter -3diopter +1diopter 
ｄ25         7.68      5.50      9.84 
ｄ30         3.36      5.54      1.20 
光軸の反射角度
ｒ3        106°
ｒ4        116°
ｒ6         78°
ｒ17        77°
ｒ20        75°
αf ＝ 100°
θf ＝  78°
θr ＝  77°
αr ＝  75°
θm ＝  77.5°                                                              。
【０１２２】
数値実施例２（−１ｄｉｏｐｔｅｒ）
ｒ1 =     ∞（１次結像面）  ｄ1 =  7.00     
ｒ2 =     ∞                ｄ2 = 10.00     ｎd1 =1.51633 νd1 =64.14 
ｒ3 =     ∞（Ｆ３）        ｄ3 = 22.80     ｎd2 =1.51633 νd2 =64.14 
ｒ4 =     ∞（Ｆ２）        ｄ4 = 10.80     ｎd3 =1.51633 νd3 =64.14 
ｒ5 =     ∞                ｄ5 =  8.92     
ｒ6 =     ∞（Ｆ１）        ｄ6 =  7.88     
ｒ7 =    14.32              ｄ7 =  4.64     ｎd4 =1.71300 νd4 =53.87 
ｒ8 =   484.25              ｄ8 =  0.41     
ｒ9 =    15.50              ｄ9 =  4.78     ｎd5 =1.80400 νd5 =46.57 
ｒ10=    23.20              ｄ10=  2.07     
ｒ11=     ∞（絞り）        ｄ11=  0.75     
ｒ12=   -15.23              ｄ12=  1.33     ｎd6 =1.84666 νd6 =23.78 
ｒ13=    10.30              ｄ13=  8.86     
ｒ14=   312.27              ｄ14=  1.49     ｎd7 =1.71736 νd7 =29.52 
ｒ15=    27.57              ｄ15=  5.55     ｎd8 =1.80400 νd8 =46.57 
ｒ16=   -22.16              ｄ16= 10.71     
ｒ17=     ∞（Ｒ１）        ｄ17= 11.24     
ｒ18=    31.04（非球面）    ｄ18=  5.53     ｎd9 =1.52542 νd9 =55.78 
ｒ19=  -291.42（非球面）    ｄ19= 10.67     
ｒ20=     ∞（Ｒ２）        ｄ20= 11.00     
ｒ21=    52.58（非球面）    ｄ21=  3.05     ｎd10=1.49236 νd10=57.86 
ｒ22=     ∞                ｄ22=  0.00     
ｒ23=     ∞（２次結像面）  ｄ23=  4.14     
ｒ24=     ∞                ｄ24=  1.00     ｎd11=1.51633 νd11=64.14 
ｒ25=     ∞                ｄ25=  7.66     
ｒ26=   -14.33              ｄ26=  1.34     ｎd12=1.84666 νd12=23.78 
ｒ27=    75.22              ｄ27=  6.54     ｎd13=1.60311 νd13=60.64 
ｒ28=   -20.34              ｄ28=  0.50     
ｒ29=   238.56              ｄ29=  3.80     ｎd14=1.78590 νd14=44.20 
ｒ30=   -37.80              ｄ30=  3.31     
ｒ31=    40.09              ｄ31=  3.23     ｎd15=1.83400 νd15=37.16 
ｒ32=  -797.23              ｄ32= 23.00     
ｒ33=     ∞（観察者の瞳）  
非球面係数
第１８面
Ｋ  = -0.8405 
Ａ4 =  1.73 ×10-5
第１９面
Ｋ  = 84.0517 
Ａ4 =  1.64 ×10-5
第２１面
Ｋ  = -0.6627 
Ａ4 =  4.50 ×10-5
Ａ6 = -1.81 ×10-7
視度調整量  -1diopter -3diopter +1diopter 
ｄ25         7.66      5.48      9.81 
ｄ30         3.31      5.49      1.16 
光軸の反射角度
ｒ3        106°
ｒ4        116°
ｒ6         78°
ｒ17        77°
ｒ20        75°
αf ＝ 100°
θf ＝  78°
θr ＝  77°
αr ＝  75°
θm ＝  77.5°                                                              。
【０１２３】
上記実施例１、２の収差図をそれぞれ図１０、図１１に示す。これらの収差図において、（ａ）は＋１ｄｉｏｐｔｅｒ時、（ｂ）は−１ｄｉｏｐｔｅｒ時、（ｃ）は−３ｄｉｏｐｔｅｒ時の球面収差（ＳＡ）、非点収差（ＡＳ）、歪曲収差（ＤＴ）、倍率色収差（ＣＣ）を示す。なお、図中、“φ”は瞳直径、“ω”は射出角を示す。これら収差図における収差状況は、１次結像面以降のファインダー光学系の収差状況を示すものである。
【０１２４】
さらに、図６の配置において、クイックリターンミラー６１、ミラー６３、６４、６５に想定される光軸の反射角度の１例をあげると次の通りである。
【０１２５】
クイックリターンミラー６１：６８°
ミラー６３                ：７８°
ミラー６４                ：４８°
ミラー６５                ：５８°
【図面の簡単な説明】
【０１２６】
【図１】本発明の１実施例のファインダー光学系を搭載した一眼レフカメラの構成を示す断面図である。
【図２】図１の一眼レフカメラの撮影時の状況を示す図である。
【図３】図１をさらに模式的に表した図である。
【図４】図１乃至図３のクイックリターンミラーに換えて、ハーフミラー面を有するプリズム群で置き換えた場合を模式的に表した図である。
【図５】図１の構成におけるプリズムに換えて２面の平面ミラーで構成した変形例を示す図である。
【図６】図１の一眼レフカメラの構成からプリズムを省略し、観察時におけるクイックリターンミラーの光軸に対する角度を鋭角とした変形例を示す図である。
【図７】図６をさらに模式的に表した図である。
【図８】数値実施例１のファインダー光学系を展開して光軸に沿ってとった断面図である。
【図９】数値実施例２のファインダー光学系を展開して光軸に沿ってとった断面図である。
【図１０】数値実施例１の収差図である。
【図１１】数値実施例２の収差図である。
【符号の説明】
【０１２７】
１…一眼レフカメラ
２…撮影レンズ
１１…クイックリターンミラー
１２…焦点板
１３…プリズム
１３ａ…入射面
１３ｂ、１３ｃ…反射面
１３ｄ…射出面
１３ｂ’、１３ｃ’…平面ミラー
１４、１５、１６…ミラー
１７…２次結像位置
２１、２２、２３、２４…レンズ
２５…正レンズ
２６…コンデンサーレンズ
２７、２８、２９…レンズ（接眼光学系）
３１…絞り
３２…防塵ガラス
４１…プリズム群
４１ａ…ハーフミラー面
６１…クイックリターンミラー
６２…焦点板
６３、６４、６５…ミラー
７１、７２…レンズ群
１０１、１０２…フィルター
１０３…撮像素子
【図１】
2006259475.tif 000003
【図２】
2006259475.tif 000004
【図３】
2006259475.tif 000005
【図４】
2006259475.tif 000006
【図５】
2006259475.tif 000007
【図６】
2006259475.tif 000008
【図７】
2006259475.tif 000009
【図８】
2006259475.tif 000010
【図９】
2006259475.tif 000011
【図１０】
2006259475.tif 000012
【図１１】
2006259475.tif 000013